(57)【特許請求の範囲】
【請求項１】
データを格納するための大容量記憶手段と、前記大容量記憶手段に対して前記データについてのリード／ライトを制御する記憶制御手段と、装置全体の制御を司る制御手段と、を備え、更に、前記記憶制御手段は、前記制御手段によりリード／ライト可能なレジスタを含むと共に、当該制御手段により当該レジスタに設定されるコマンドをデコードして前記大容量記憶手段へのリード／ライトの指示を行うための信号生成を指示する指示手段と、データ設定用のレジスタを含むと共に、前記制御手段によりリード／ライト可能なレジスタと、前記大容量記憶手段への書き込みデータを前記データ設定用のレジスタ値あるいは他のデータのいずれかに切り替える切り替え手段と、前記大容量記憶手段への書き込みを前記レジスタ値あるいは前記他のデータのいずれかにするかを指定するレジスタと、を備えた情報処理装置であって、
前記制御手段は、装置の使用頻度が少ないときに移行する省エネモードへの移行前に前記記憶制御手段を指示して前記大容量記憶手段のデータを消去した旨を当該装置に表示すると共に、当該装置が当該省エネモードから復帰したときに当該大容量記憶手段のデータが消去された旨を再度当該装置に表示する制御を行うことを特徴とする情報処理装置。
【請求項２】
請求項１記載の情報処理装置において、前記データ設定用のレジスタは、乱数初期値レジスタと、前記乱数初期値レジスタの値に基づいて乱数を発生する乱数発生部と、を備え、前記切り替え手段によって切り替えられる前記データ設定用のレジスタ値は、前記乱数発生部から発生した前記乱数のデータであることを特徴とする情報処理装置。
【請求項３】
画像データを入力するための入力手段と、装置の全体の動作を制御する制御手段と、前記入力手段から入力される画像データを少なくとも１ページ分格納するためのメモリと、画像データを格納するための大容量記憶手段と、前記メモリに対して前記画像データについてのリード／ライトの制御、並びに前記大容量記憶手段に対して当該画像データのリード／ライトを制御する画像蓄積制御部と、を備え、更に、前記画像蓄積制御部は、前記制御手段によりリード／ライト可能なレジスタを含むと共に、当該制御手段により当該レジスタに設定されるコマンドをデコードして前記大容量記憶手段へのリード／ライトの指示を行うための信号生成、並びにメモリデータ転送のＤＭＡ起動の指示を行うＣＰＵＩ／Ｆ部と、前記制御手段によりリード／ライト可能なデータ設定用のレジスタと、前記大容量記憶手段への書き込みデータを前記データ設定用のレジスタ値か前記メモリからのデータかを切り替える切り替え手段と、前記大容量記憶手段への書き込みを前記レジスタ値あるいは前記メモリからのデータのいずれかにするかを指定するレジスタと、を備えた画像処理装置であって、
前記制御手段は、装置の使用頻度が少ないときに移行する省エネモードへの移行前に前記記憶制御手段を指示して前記大容量記憶手段のデータを消去した旨を当該装置に表示すると共に、当該装置が当該省エネモードから復帰したときに当該大容量記憶手段のデータが消去された旨を再度当該装置に表示する制御を行うことを特徴とする画像処理装置。
【請求項４】
請求項３記載の画像処理装置において、前記データ設定用のレジスタは、乱数初期値レジスタと、前記乱数初期値レジスタの値に基づいて乱数を発生する乱数発生部と、を備え、前記大容量記憶手段への書き込みを指定するレジスタによって指定される前記レジスタ値は、前記乱数発生部から発生した前記乱数のデータであることを特徴とする画像処理装置。
【請求項５】
請求項３又は４記載の画像処理装置において、前記大容量記憶手段への書き込みを指示する指示手段を備え、前記指示手段から指示されたタイミングで前記大容量記憶手段への書き込みが実行されることを特徴とする画像処理装置。
【請求項６】
請求項５記載の画像処理装置において、前記タイミングは、作業を行った直後であることを特徴とする画像処理装置。
【請求項７】
請求項５記載の画像処理装置において、前記タイミングは、１日のうちの予め設定された時刻であることを特徴とする画像処理装置。
【請求項８】
請求項３乃至７の何れか１項記載の画像処理装置を備えたことを特徴とする画像形成装置。
【発明の詳細な説明】
【技術分野】
【０００１】
本発明は、ディジタルデータを記憶する記憶手段を有し、この記憶手段に記憶されたデータのセキュリティを考慮したＰＣ、ＨＤレコーダ、カーナビゲーション、ゲーム機等の情報処理装置、ディジタルデータが画像データである場合の画像処理に適用される画像処理装置、及びこの画像処理装置を備えた画像形成装置に関する。
【背景技術】
【０００２】
従来、デジタル複写機ではハードディスク等の（以下、ＨＤＤ）不揮発性記憶媒体を搭載したものがあり、このＨＤＤは電子ソート機能、画像登録機能等、画像データを１度蓄え利用する機能に用いられている。電子ソート機能は原稿を読み取り、ＨＤＤに記憶し、全ての画像を読み取り、ＨＤＤに記憶させた後、この画像をページ順にＨＤＤから読み出し、プリントアウトするものである。これにより、複数のビンを持つソータ装置を持たなくても、コピー紙をソートした状態で排紙することが可能となる。また、画像登録機能は予め複数のフォーム画像を登録画像としてＨＤＤに記憶することで再度スキャナで読みとることなく、必要なときに何度でもプリントアウトを行うことができる。
【０００３】
この種の技術として例えば特許文献１に開示された発明が公知である。この発明は、複数のＨＤＤに対して簡易な構成で高速な画像データの転送ができ、かつ複数のＨＤＤを１台のＨＤＤとして効率的に管理することが可能なハードディスクコントローラを備えた画像形成装置に関するもので、前記ハードディスクコントローラは、複数のＨＤＤに対して、略同時に、パラメータ設定、コマンド発行およびステータスリード等の制御を行うと共に、画像データを分轄して略同時にＤＭＡ転送できるように構成したものである。
【特許文献１】特開２００２−３５４２１７号公報
【発明の開示】
【発明が解決しようとする課題】
【０００４】
しかしながら、ＨＤＤはデータを保持して上記のように利用できる反面、コマンド等でデータの消去を行わないといつまでもデータが保持されるので不正に機器から取り外された場合、データを盗まれる可能性があり、セキュリティに問題がある。また、コマンドで行われるデータ消去でも、以前に書き込まれた１ビットの各データ領域を１回のデータの上書きで全て書き換えることはできず、書き換えられていないデータ部分が残る。このように１回書き込むだけでは、ディスク面上に磁気データが残り、完全に書き換えられるわけではないので、残った磁気データ部分を全て書き換えるように、確率的に残った磁気データ部分が全て書き換えられたと考えられる回数、データを上書きしなければならない。このために同じデータ、例えば０を前記回数書き込むか、乱数を前記回数書き込むことが一般的、特に後者の乱数を使用するのが一般的に行われている。その際、メモリ上にデータを作成し、そのデータを数回作成し、ＨＤＤに書き込むことが考えられるが、メモリ上にデータを作成して転送しなければならず、手間がかかった。
【０００５】
本発明は、このような従来技術の実情に鑑みてなされたもので、その目的は、ＨＤＤなどの大容量記憶手段内のデータを消去するためにメモリ上にデータを作成して大容量記憶手段に転送する手間を省き、データ消去のパフォーマンスを向上させることができる情報処理装置、画像処理装置、及び画像形成装置を提供することにある。
【課題を解決するための手段】
【０００６】
前記目的を達成するため、本発明の情報処理装置は、データを格納するための大容量記憶手段と、前記大容量記憶手段に対して前記データについてのリード／ライトを制御する記憶制御手段と、装置全体の制御を司る制御手段と、を備え、更に、前記記憶制御手段は、前記制御手段によりリード／ライト可能なレジスタを含むと共に、当該制御手段により当該レジスタに設定されるコマンドをデコードして前記大容量記憶手段へのリード／ライトの指示を行うための信号生成を指示する指示手段と、データ設定用のレジスタを含むと共に、前記制御手段によりリード／ライト可能なレジスタと、前記大容量記憶手段への書き込みデータを前記データ設定用のレジスタ値あるいは他のデータのいずれかに切り替える切り替え手段と、前記大容量記憶手段への書き込みを前記レジスタ値あるいは前記他のデータのいずれかにするかを指定するレジスタと、を備えた情報処理装置であって、前記制御手段は、装置の使用頻度が少ないときに移行する省エネモードへの移行前に前記記憶制御手段を指示して前記大容量記憶手段のデータを消去した旨を当該装置に表示すると共に、当該装置が当該省エネモードから復帰したときに当該大容量記憶手段のデータが消去された旨を再度当該装置に表示する制御を行うことを特徴とする。
【０００７】
係る情報処理装置の一実施態様は、上記情報処理装置において、前記データ設定用のレジスタは、乱数初期値レジスタと、前記乱数初期値レジスタの値に基づいて乱数を発生する乱数発生部と、を備え、前記切り替え手段によって切り替えられる前記データ設定用のレジスタ値は、前記乱数発生部から発生した前記乱数のデータであることを特徴とする。
【０００８】
前記目的を達成するため、本発明の画像処理装置は、画像データを入力するための入力手段と、装置の全体の動作を制御する制御手段と、前記入力手段から入力される画像データを少なくとも１ページ分格納するためのメモリと、画像データを格納するための大容量記憶手段と、前記メモリに対して前記画像データについてのリード／ライトの制御、並びに前記大容量記憶手段に対して当該画像データのリード／ライトを制御する画像蓄積制御部と、を備え、更に、前記画像蓄積制御部は、前記制御手段によりリード／ライト可能なレジスタを含むと共に、当該制御手段により当該レジスタに設定されるコマンドをデコードして前記大容量記憶手段へのリード／ライトの指示を行うための信号生成、並びにメモリデータ転送のＤＭＡ起動の指示を行うＣＰＵＩ／Ｆ部と、前記制御手段によりリード／ライト可能なデータ設定用のレジスタと、前記大容量記憶手段への書き込みデータを前記データ設定用のレジスタ値か前記メモリからのデータかを切り替える切り替え手段と、前記大容量記憶手段への書き込みを前記レジスタ値あるいは前記メモリからのデータのいずれかにするかを指定するレジスタと、を備えた画像処理装置であって、前記制御手段は、装置の使用頻度が少ないときに移行する省エネモードへの移行前に前記記憶制御手段を指示して前記大容量記憶手段のデータを消去した旨を当該装置に表示すると共に、当該装置が当該省エネモードから復帰したときに当該大容量記憶手段のデータが消去された旨を再度当該装置に表示する制御を行うことを特徴とする。
【０００９】
係る画像処理装置の一実施態様は、上記画像処理装置において、前記データ設定用のレジスタは、乱数初期値レジスタと、前記乱数初期値レジスタの値に基づいて乱数を発生する乱数発生部と、を備え、前記大容量記憶手段への書き込みを指定するレジスタによって指定される前記レジスタ値は、前記乱数発生部から発生した前記乱数のデータであることを特徴とする。
【００１０】
上記何れかの画像処理装置の他の実施態様は、前記大容量記憶手段への書き込みを指示する指示手段を備え、前記指示手段から指示されたタイミングで前記大容量記憶手段への書き込みが実行されることを特徴とする。
【００１１】
上記画像処理装置の別の実施態様の１つは、前記タイミングは、作業を行った直後であることを特徴とする。
【００１２】
上記画像処理装置の別の実施態様のもう１つは、前記タイミングは、１日のうちの予め設定された時刻であることを特徴とする。
【００１３】
その他、本発明の画像形成装置は、上記何れか１つの画像処理装置を備えたことを特徴とする。
【００２６】
なお、以下の実施形態において、大容量記憶手段はＨＤＤ２０８に、記憶制御手段は画像蓄積制御部２０５に、制御手段はＣＰＵ２０２に、制御手段によりリード／ライト可能なレジスタは書き換えデータ用レジスタ２０５ａに、指示手段はデータパス切り替えビット２０５ｂに、乱数初期値レジスタは符号２０５ｅに、乱数発生部は符号２０５ｆに、切り替え手段は画像蓄積制御部２０５に、メモリは符号２０６にそれぞれ対応する。
【発明の効果】
【００２７】
本発明によれば、大容量記憶手段内のデータを消去するためにメモリ上にデータを作成して大容量記憶手段に転送する手間を省くことが可能となり、データ消去のパフォーマンスを向上させることができる。
【発明を実施するための最良の形態】
【００２８】
以下、本発明を実施するための最良の形態について、図面を参照して説明する。
【００２９】
＜第１の実施形態＞
図１は本発明の実施形態に関るディジタル複写機の構成を示す概略図である。ディジタル複写機はスキャナ部１０１とレーザ記録部１０２と後処理部１０３とから基本的に構成されている。スキャナ部１０１とレーザ記録部１０２で画像の形成、用紙への印字を行い、後処理部１０３で出力紙を揃え、ステープル、パンチ穴の処理が行われる。
【００３０】
スキャナ部１０１は透明ガラス体（コンタクトガラス）の原稿台１０４、原稿台１０４の上面の原稿を給送する自動両面原稿送り装置１０５（以下、ＲＡＤＦという。）、及び原稿台１０４の上面に載置された原稿の画像を読み取るスキャナユニット１０６によって構成されている。スキャナ部１０１において読みとられた画像データは、レーザ記録部１０２に出力される。ＲＡＤＦ１０５は図外の原稿トレイから原稿台１０４を経由して図外の排出トレイに至る片面原稿給送路、スキャナユニット１０６による片面の画像の読み取りが完了した原稿の表裏面を反転して再度原稿台１０４に導く両面原稿給送路を有し、片面、両面の原稿どちらでも対応できる。スキャナユニット１０６は原稿をランプで照射し、レンズ、ミラー等で原稿の反射光を光電変換素子の受光面に結像させる。光電変換素子は原稿の画像面における反射光を電気信号に変換し、後述する画像処理部に出力する。レーザ記録部１０２は用紙を搬送する用紙搬送部１０７、レーザ書き込みユニット１０８及び電子写真プロセス部（画像形成部）１０９を備えている。用紙搬送部１０７は用紙の両面に画像を形成する両面複写モード時、定着ローラを通過した用紙を表裏面を反転して再度電子写真プロセス部１０６に導く副搬送路を備えている。
【００３１】
レーザ書き込みユニット１０８は画像処理部から供給される画像データに基づいてレーザ光を照射する半導体レーザ、半導体レーザから照射された光をミラーやレンズを通して電子写真プロセス部１０９の感光体ドラム表面に配光する。感光ドラム表面は静電潜像が形成され、現像装置からトナーが供給されることにより、トナー画像に顕在化される。このトナー画像は用紙搬送部１０７から導かれた用紙上に転写され、その後、定着ローラにより、加熱及び加圧を受け、トナー画像が溶融して用紙の表面に定着する。このように用紙に書き込みが終了した後、後処理部１０３で一部分の出力用紙が揃えられ、ステープル、パンチ穴の処理が行われ、トレーに排出される。
【００３２】
図２は、本発明の実施形態に係るディジタル複写機の制御部を構成を示すブロック図である。  
制御部は画像処理ボード２０１に搭載されたＣＰＵ２０２により、ユニット毎に配置されたボードに搭載されたＣＰＵ２２６，２３０，２１３を介して各ユニットを構成する機器を統括して制御する。すなわち複写機の制御部は複写機の上面に設けられた操作パネル２２５を管理するオペレーションパネルボード２２８、複写機内の各機器を管理するマシンコントロールボード２３１、光電変換素子を周辺部品と共に搭載したＣＣＤボード２１０、画像データに対して各種の画像処理を施すＣＰＵ２０２を周辺部品と共に搭載した画像処理ボード２０１によって構成されている。
【００３３】
マシンコントロールボード２３１はＣＰＵ２３０とＲＡＭ２２９を備え、ＲＡＤＦ１０５、用紙搬送部１０７、後処理部１０３、両面ユニット２１７、スキャナユニット１０６及びプロセス部１０９が接続されている。ＲＡＤＦ１０５及び後処理部１０３には、それぞれＣＰＵ２２１，２２２が設けられている。オペレーションパネルボード２２８はＣＰＵ２２６とＲＡＭ２２７を備え、操作パネル２２５が接続されている。操作パネル２２５はさらにＬＣＤ（液晶表示装置）２２３および操作キー２２４が設けられている。
【００３４】
以下に複写機におけるコピーモードの画像データの処理について説明する。  
ＲＡＤＦ１０５を介して原稿台１０４に給送された原稿の画像がスキャナユニット１０６で順次読みとられる。スキャナユニット１０６内のＣＣＤボード２１０上のＣＣＤ２１３がＣＣＤ制御部２１２で駆動され、その出力信号はアナログ回路２１４でゲイン調整が行われ、Ａ／Ｄ変換部２１１から８ビットの画像データとして画像処理ボード２０１に送られる。画像処理ボード２０１に送られた画像データは画像処理部２０４において所定の画像処理が施された後、画像蓄積制御部２０５で１度メモリ２０６に蓄えられる。メモリ２０６に蓄えられた画像データは次にＨＤＤ２０８に格納される。これらの処理がＲＡＤＦ１０５にセットされた全ての原稿について実行される。画像の読み取り終了後、ＨＤＤ２０８に格納された複数枚の画像データは画像蓄積制御部２０５により、ページ順に読み出す処理が設定部数回だけ繰り返して実行され、画像処理部２０４において所定の画像処理後、レーザコントロール部２０７を介してレーザ書き込みユニット１０８の半導体レーザ２０９に供給される。従って各原稿の画像を複数部ずつ画像形成する場合にも各原稿の画像についての読み取り動作を１回のみ行うだけでよい。
【００３５】
本実施形態においては画像蓄積制御部２０５に１６ビットのデータを設定できる「置き換えデータ用レジスタ」２０５ａを備えている（図３）。また、別の制御レジスタにデータパス切り替えビット２０５ｂを１ビット有する。このデータパス切り替えビット２０５ｂが０でＨＤＤ２０８に対してメモリ２０６からのデータを転送し、１で置き換えデータ用レジスタ２０５ａに設定した値をＨＤＤ２０８に書き込む。
【００３６】
図３はメモリ２０６からのデータが置き換えデータ用レジスタ２０５ａに設定された値に置き換えられるパスを簡単に示した図である。データパス切り替えビット２０５ｂが０でメモリ２０６からのパス２０５ｃにＨＤＤ書き込みデータ２０５ｄが接続され、１で「置き換えデータ用レジスタ」に接続される。このようにしてソフトはメモリ２０６にデータを書き込み、それを転送してＨＤＤ２０８のデータを書き換えるのではなく、レジスタ２０５ａに値を設定し、データパス切り替えビットを１にすることによりメモリ２０６のデータをＨＤＤ２０８に書き込む動作と同じ動作を行えば、レジスタ２０５ａに設定した値がＨＤＤ２０８に書き込まれる。そこで、通常の制御を少し変更するだけで、メモリ２０６にＨＤＤ消去用のデータを作成する手間が省け、ＨＤＤデータ消去の速度を速くすることができる。
【００３７】
なお、ＨＤＤ消去用のデータの書き込みは前述のように磁気データを全て上書きして消去漏れを防ぐために複数回行われる。消去タイミングは、ユーザの支持、複写機の廃棄の前、１日のうちユーザが使用する確率が最も低いタイミング、例えば深夜あるいは明け方、作業終了直後、１回のジョブが終了した直後などさまざまなユーザの使用形態や秘密保持の度合に応じて適宜設定される。また、データを消去している際には、前記操作パネル２２５のＬＣＤ２２３にその旨表示し、さらに、終了した時点、あるいは終了したことを表示し、ユーザが消去されたことを確認できるようにしておくことが望ましい。
【００３８】
例えば、深夜に消去した場合には、消去後、電源を省エネモードに設定し、あるいは電源を落とした後、作業開始時に電源をオンしたとき、あるいは省エネモードから復帰したときに、すでにＨＤＤ２０８のデータが消去されたことを表示するように設定することもできる。
【００３９】
＜第２の実施形態＞
ところで、ＨＤＤ消去用データが乱数であれば、更にＨＤＤ２０８のデータ消去に効果がある。本発明の第２の実施形態では「乱数初期値レジスタ」２０５ｅと、乱数発生部２０５ｆを設ける（図４）ことによりデータ消去の効果を高めることができる。この方式では１６ビットのデータを設定できる乱数初期値レジスタ２０５ｅを備えている。また、別の制御レジスタにデータパス切り替えビット２０５ｂを１ビット有する。このデータパス切り替えビット２０５ｂが０でＨＤＤ２０８に対してメモリ２０６からのデータを転送し、１で乱数初期値レジスタ２０５ｅに設定した値に基づいて乱数発生部２０５ｆで発生した乱数データをＨＤＤ２０８に書き込む。
【００４０】
図４はメモリ２０６からのデータが乱数データに置き換えられるパスを簡単に示した図である。データパス切り替えビット２０５ｂが０でメモリ２０６からのパス２０５ｃにＨＤＤ書き込みデータが接続され、１で乱数発生部２０５ｆからのデータに接続される。このようにしてソフトはメモリ２０６にデータを書き込み、それを転送してＨＤＤ２０８のデータを書き換えるのではなく、レジスタ２０５ｅに値を設定し、データパス切り替えビットを１にすることによりメモリ２０６のデータをＨＤＤ２０８に書き込む動作と同じ動作を行えば、レジスタ２０５ｅに設定した値がＨＤＤ２０８に書き込まれる。そこで、通常の制御を少し変更するだけで、メモリ２０６にＨＤＤ消去用のデータを作成する手間が省け、ＨＤＤデータ消去の速度を速くすることができ、かつデータの復元が難しい乱数データを書き込むことができる。
【００４１】
その他、特に説明しない各部は前述の第１の実施形態と同等に構成され、同等に機能する。
【００４２】
＜第３の実施形態＞
第１及び第２の実施形態はメモリ２０６からの画像データ転送と同様な方式でＨＤＤ２０８上のデータを書き換えられることが利点の１つであるが、第３の実施形態では更に簡単な処理でＨＤＤ２０８内のデータを書き換えることが可能である。
【００４３】
この第３の実施形態では、「消去始点アドレスレジスタ」「消去終点アドレスレジスタ」を画像蓄積制御部２０５に設ける。ＨＤＤ２０８内部のアドレスはＬＢＡ（Ｌｏｇｉｃａｌ  Ｂｌｏｃｋ  Ａｄｄｒｅｓｓ）という値で、２８ビットの値である。この２８ビットの値はＨＤＤ２０８には４つのレジスタに書き込まれた値で構成される。これらのレジスタはＬＢＡ［２７：０］とすると次のような割り当てである。
【００４４】
１）ＬＢＡ［２７：２４］：デバイスヘッドレジスタの下位４ビット
２）ＬＢＡ［２３：１６］：シリンダハイレジスタ
３）ＬＢＡ［１５：８］：シリンダロウレジスタ
４）ＬＢＡ［７：０］：セクタナンバレジスタ
である。また、本実施形態では画像蓄積制御部２０５の制御レジスタにＨＤＤデータ消去開始ビットを設ける。これらのレジスタを用いてデータ消去を行う手順を図５のフローチャートを参照して説明する。ＣＰＵ２０２は、まず、「消去始点アドレスレジスタ」「消去終点アドレスレジスタ」の各々の消去始点アドレスと終点アドレスを設定する（ステップＳ５０１）。そして、データパス切り替えビットを１に設定し（ステップＳ５０２）、置き換えデータ用レジスタのデータを選択する。次に置き換えデータ用レジスタに値を設定する（ステップＳ５０３）。ＣＰＵ２０２がＨＤＤデータ消去開始ビットに１を設定する（ステップＳ５０４）ことにより画像蓄積制御部２０５はＨＤＤデータ消去動作を開始する（ステップＳ５０５）。終点アドレスまでデータ書き込みが終了したら、画像蓄積制御部は終了割り込みをＣＰＵに発行する（ステップＳ５０６）ことによりデータ消去動作の終了を通知する。
【００４５】
図６はＨＤＤデータ消去動作実行時のＨＤＤインターフェースの様子を模式的に示した図である。ＨＤＤインタフェース上で前述のＬＢＡ設定やＤＭＡライトコマンドが行われているＨＤＤレジスタ設定部分はＡ〜Ｅで示している部分である。これらのＨＤＤレジスタ設定部分でデバイスヘッドレジスタ、シリンダハイレジスタ、シリンダロウレジスタ、セクタナンバレジスタでＬＢＡを設定する。セクタカウントレジスタに００Ｈを設定することによって最大の２５６セクタのデータライトを行うため、セクタカウントレジスタに００Ｈの値を設定する。最後にコマンドレジスタにライトＤＭＡコマンドを発行し、データを転送している。
【００４６】
ＡではＬＢＡに「消去始点アドレスレジスタ」に設定されたＬＢＡをＨＤＤ２０８に設定している。ＢではＡで設定されたアドレスを２５６セクタのデータライト分インクリメントしたアドレスを設定し、セクタカウントレジスタに００Ｈ設定し、コマンドレジスタにライトＤＭＡコマンドを発行し、データを転送している。Ｃ，Ｄも同様にＬＢＡを２５６セクタ分インクリメントして設定し、他は同様にセクタカウントレジスタに００Ｈ設定し、コマンドレジスタにライトＤＭＡコマンドを発行する。最後にＥで「消去終点アドレスレジスタ」のＬＢＡを発行してデータ転送が終了すると画像蓄積制御部２０５はＣＰＵ２０２に終了割り込みを発行してデータ消去動作の終了を通知する。このように画像蓄積制御部２０５でメモリ２０６の転送データ量等のメモリのデータ転送に関する設定を行うことなく、簡単なレジスタ設定のみでＨＤＤデータ消去動作を行うことができる。
【００４７】
なお、図６の例では、画像蓄積制御部２０５はＣＰＵ２０２に終了割り込みを発行してデータ消去動作の終了を通知するしているが、これはＣＰＵ２０２ではデータ転送の終了が分からないからであり、終了割り込みに代えてコマンド発生回数（転送回数）でも良い。予めデータ量との関係で転送回数が分かっていれば、この回数からＣＰＵがデータ転送終了が分かる。
【００４８】
その他、特に説明しない各部は前述の第１の実施形態と同等に構成され、同等に機能する。
【００４９】
本実施形態によれば、デジタル複写機等のシステムでＨＤＤを使用した場合、ＨＤＤ制御部でメモリからＨＤＤに転送されるデータをＣＰＵで設定されたレジスタ値に置き換えてＨＤＤに転送することにより、メモリ上にデータを作成することなく、簡単にＨＤＤにデータ消去用の値を書き込むことができる。
【００５０】
また、本実施形態によれば、乱数を書き込むので、乱数発生部のハードは増えるが、消去用のデータに乱数を使用することで、消去したデータの復元が困難になる。
【００５１】
さらに、レジスタ等のハードは増えるが、メモリからのデータ転送として制御を行う必要がなく、指定したアドレス分のデータを消去できるので制御が簡易になる。
【００５２】
なお、前記各実施形態では、画像形成装置としてディジタル複写機を例に取って説明しているが、画像形成を行う場合に画像処理手段の前段で機能する画像処理装置、ディジタルデータを記憶する記憶手段を有し、この記憶手段に記憶されたデータのセキュリティを考慮したＰＣ、ＨＤレコーダ、カーナビゲーション、ゲーム機などの情報処理装置にも適用できることはいうまでもない。
【図面の簡単な説明】
【００５３】
【図１】本発明の第１の実施形態に関るディジタル複写機の構成を示す概略図である。
【図２】本発明の第１の実施形態に係るディジタル複写機の制御部を構成を示すブロック図である。
【図３】本発明の第１の実施形態においてメモリからのデータが置き換えデータ用レジスタに設定された値に置き換えられるパスを簡単に示した図である。
【図４】本発明の第２の実施形態においてメモリからのデータが乱数データに置き換えられるパスを簡単に示した図である。
【図５】本発明の第３の実施形態において画像蓄積制御部の制御レジスタにＨＤＤデータ消去開始ビットを設け、これらのレジスタを用いてデータ消去を行う手順を示すフローチャートである。
【図６】本発明の第３の実施形態におけるＨＤＤデータ消去動作実行時のＨＤＤ  Ｉ／Ｆの様子を模式的に示した図である。
【符号の説明】
【００５４】
１０１  スキャナ部
１０２  レーザ記録部
１０３  後処理部
２０１  画像処理ボード
２０２  ＣＰＵ
２０４  画像処理部
２０５  画像蓄積制御部
２０５ａ  置き換えデータ用レジスタ
２０５ｂデータパス切り替えビット
２０５ｅ  乱数初期値レジスタ
２０５ｆ  乱数発生部
２０６  メモリ
２０８  ＨＤＤ
２１０  ＣＣＤボード
２２３  ＬＣＤ
２２４  操作キー
２２５  操作パネル
２２８  オペレーションパネルボード
２３１  マシンコンロトールボード
【図１】
0004651291.tif 000002
【図２】
0004651291.tif 000003
【図３】
0004651291.tif 000004
【図４】
0004651291.tif 000005
【図５】
0004651291.tif 000006
【図６】
0004651291.tif 000007